(57)【要約】【課題】待機モードとして通常モードと省電力モードとを備える電子写真方式の画像形成装置において、モード切り替わりに応じて、トナーリカバリ工程を適切に行う。【解決手段】トナー残量が少なくなると、カートリッジから現像器へトナーを落とし込み、トナー濃度を所定のノードに復帰させる前記リカバリ工程を行わせるにあたって、電源投入（Ｓ２→Ｓ３）によって通常の待機モードに切り替わったときにトナー残量が所定レベル以下（Ｓ１，Ｓ４）であると、旧来通りのプロセス調整工程（Ｓ３）およびリカバリ工程（Ｓ５）による立上げ動作を行った後、印字動作を行う（Ｓ６）一方、省電力モードから通常の待機モードに復帰したときに（Ｓ２→Ｓ１３）トナー残量が所定レベル以下（Ｓ１，Ｓ４）であると、前記プロセス調整工程（Ｓ１３）だけを行い、印字動作（Ｓ１４）後に前記リカバリ工程を行う（Ｓ１６）。【選択図】図２
2011022399.tif 000002
【特許請求の範囲】
【請求項１】
電子写真方式で画像形成を行う画像形成部と、
待機モードとして、少なくとも通常モードと省電力モードとを備える動作制御手段と、
前記通常モードへの切り替わりが、電源投入によるものか、省電力モードからの復帰によるものかを判定するモード変化判定手段と、
前記画像形成部における現像器のトナー残量を判定するトナー残量判定手段とを含み、
前記動作制御手段は、前記トナー残量判定手段およびモード変化判定手段の判定結果に応答し、トナー残量が所定レベル以下で前記通常モードへ切り替わったとき、その切り替わりが、前記電源投入による場合、前記画像形成部に画像形成条件を調整させるプロセス調整工程を行わせるとともに、当該画像形成部における現像器のトナー濃度を所定の濃度に復帰させるリカバリ工程を行わせた後、画像形成を行わせ、前記省電力モードからの復帰による場合、前記画像形成部に前記プロセス調整工程を行わせ、画像形成後に前記リカバリ工程を行わせることを特徴とする画像形成装置。
【請求項２】
前記動作制御手段は、前記省電力モード時には動作を休止する消費電力が相対的に大きいマイクロプロッセッサから成り、前記モード変化判定手段は、常時通電されて消費電力が相対的に小さいマイクロプロッセッサから成ることを特徴とする請求項１記載の画像形成装置。
【請求項３】
待機モードとして、少なくとも通常モードと省電力モードとを少なくとも備える動作制御部を監視し、前記通常モードへ切り替わったとき、その切り替わりが、電源投入によるものか、省電力モードからの復帰によるものかを判定するステップと、
電子写真方式で画像形成を行う画像形成部における現像器のトナー残量を判定するステップと、
前記各ステップの判定結果に応答し、トナー残量が所定レベル以下で前記通常モードへ切り替わったとき、
その切り替わりが前記電源投入による場合、
前記画像形成部に画像形成条件を調整させるプロセス調整工程を行わせるステップと、
前記画像形成部に現像器のトナー濃度を所定の濃度に復帰させるリカバリ工程を行わせるステップと、
前記画像形成部に画像形成を行わせるステップとをこの順に行わせる一方、
前記切り替わりが前記省電力モードからの復帰による場合、
前記画像形成部に前記プロセス調整工程を行わせるステップと、
前記画像形成部に画像形成を行わせるステップと、
前記画像形成部に前記リカバリ工程を行わせるステップとをこの順に行わせることを特徴とする画像形成装置の起動方法。
【発明の詳細な説明】
【技術分野】
【０００１】
本発明は、画像形成装置およびその起動方法に関し、特に画像形成の手法としては、トナーを用いる電子写真方式のものに関する。
【背景技術】
【０００２】
画像形成に前記トナーを用いる電子写真方式の画像形成装置の場合、画像形成部の現像器がトナーロー状態（トナーカトリッジにはトナーが無いが、現像器に残ったトナーで所定枚の印字動作は可能なトナー僅少状態）となったことがトナー残量判定手段によって判定されると、表示パネルやホストのコンピュータなどを介して、使用者やサービスマンなどに警告などを発するようになっている。その警告などに応答して、前記使用者やサービスマンなどが前記トナーカトリッジを交換すると、該トナーカトリッジから現像器にトナーを補給し、現像器のトナー濃度を所定の濃度に復帰させるリカバリ工程を行うようになっている。そして、補給動作が正常に終了した場合は、前記トナーロー状態が解除となる。
【０００３】
一方、画像形成装置は多くの電力を消費するので、省エネ化の流れに従い、画像形成を行っていない期間の待機モードとして、直ちに画像形成の可能な待機モードである通常モードと、定着装置の温度を低下するなどして、直ちには画像形成はできないけれども、消費電力を低減することができる省電力モードとを少なくとも備える画像形成装置が広く普及している。そして、電源投入直後は通常モードとなり、所定時間使用者の操作や実際の画像形成が無いと、省電力モードに切り替わるようになっており、省エネの促進のために、近年では、前記所定時間が短くなり、省電力モードに入り易くなっている。
【０００４】
しかしながら、一旦省電力モードに切り替わると、使用者のパネル操作や印刷ジョブの発生などで通常モードに復帰した際、画像形成部の立上げ（ウォームアップ）を行う必要が生じ、たとえば帯電器の電圧を上げて回転させたり、現像ローラを回転させる等のプロセス調整工程が行われるとともに、その時、前記トナーロー状態であると、前記リカバリ工程が行われる。ここで、実際にトナーカトリッジが交換されていると、次回からはこのようなリカバリ工程が省略されて、これによる待ち時間が無くなるものの、トナーカトリッジが交換されておらず、次回も依然としてトナーロー状態が続いている場合は、同様に前記リカバリ工程が行われることになる。このリカバリ工程は、ローラを回して前記トナーカトリッジから現像器へトナーを落とし込むもので、かなりの時間を要し、このため最初の画像形成出力（プリントアウト）までの待ち時間が長くなるという問題がある。
【０００５】
そこで、特許文献１には、ファクシミリ機能およびプリンタ機能を備え、画像形成部が電子写真方式で画像形成を行い、ウォームアップとして前記プロセス調整工程とリカバリ工程とを行うとともに、待機モードとして、通常モードと省電力モードとを備えるフルカラーの画像形成装置において、省電力モードでファクシミリの印刷要求が発生し、通常モードに切り替わった場合、トナー残量が少なければ、黒色トナーのリカバリ工程を行って印刷動作を行い、その後にプロセス調整工程を行っている。また、省電力モードでプリンタの印刷要求が発生し、通常モードに切り替わった場合は、総ての色のトナーのリカバリ工程を行い、さらにプロセス調整工程を行った後、印刷動作を行っている。これによって、白黒モード（ファクシミリ）での使用者の待ち時間を短縮し、フルカラーモード（プリンタ）では高い画質を得るようにしている。
【先行技術文献】
【特許文献】
【０００６】
【特許文献１】特許第４１０５８３６号公報
【発明の概要】
【発明が解決しようとする課題】
【０００７】
上述の従来技術は、省電力モードからの復帰の場合である。一方、通常モードとなるのは、この省電力モードからの復帰時だけでなく、前述のように電源投入時も一旦この通常モードとなる。したがって、上述の従来技術では、この電源投入による通常モードへの切り替わりに関しては、何ら考慮されていない。
【０００８】
本発明の目的は、省電力モードからと電源投入からとで、通常モードへ切り替わったときの状況に応じて、適切に画像形成出力を得ることができる画像形成装置およびその起動方法を提供することである。
【課題を解決するための手段】
【０００９】
本発明の画像形成装置は、電子写真方式で画像形成を行う画像形成部と、待機モードとして、少なくとも通常モードと省電力モードとを備える動作制御手段と、前記通常モードへの切り替わりが、電源投入によるものか、省電力モードからの復帰によるものかを判定するモード変化判定手段と、前記画像形成部における現像器のトナー残量を判定するトナー残量判定手段とを含み、前記動作制御手段は、前記トナー残量判定手段およびモード変化判定手段の判定結果に応答し、トナー残量が所定レベル以下で前記通常モードへ切り替わったとき、その切り替わりが、前記電源投入による場合、前記画像形成部に画像形成条件を調整させるプロセス調整工程を行わせるとともに、当該画像形成部における現像器のトナー濃度を所定の濃度に復帰させるリカバリ工程を行わせた後、画像形成を行わせ、前記省電力モードからの復帰による場合、前記画像形成部に前記プロセス調整工程を行わせ、画像形成後に前記リカバリ工程を行わせることを特徴とする。
【００１０】
また、本発明の画像形成装置の起動方法は、待機モードとして、少なくとも通常モードと省電力モードとを少なくとも備える動作制御部を監視し、前記通常モードへ切り替わったとき、その切り替わりが、電源投入によるものか、省電力モードからの復帰によるものかを判定するステップと、電子写真方式で画像形成を行う画像形成部における現像器のトナー残量を判定するステップと、前記各ステップの判定結果に応答し、トナー残量が所定レベル以下で前記通常モードへ切り替わったとき、その切り替わりが前記電源投入による場合、前記画像形成部に画像形成条件を調整させるプロセス調整工程を行わせるステップと、前記画像形成部に現像器のトナー濃度を所定の濃度に復帰させるリカバリ工程を行わせるステップと、前記画像形成部に画像形成を行わせるステップとをこの順に行わせる一方、前記切り替わりが前記省電力モードからの復帰による場合、前記画像形成部に前記プロセス調整工程を行わせるステップと、前記画像形成部に画像形成を行わせるステップと、前記画像形成部に前記リカバリ工程を行わせるステップとをこの順に行わせることを特徴とする。
【００１１】
上記の構成によれば、たとえばデジタル複合機などとして実現され、画像形成部が電子写真方式で画像形成を行い、待機モードとして通常モードと省電力モードとを少なくとも備える画像形成装置において、前記画像形成部では、トナー残量判定手段によって現像器のトナー残量を判定し、少なくなると、動作制御手段が、カートリッジから現像器へトナーを落とし込み、トナー濃度を所定の濃度に復帰させるリカバリ工程を行わせる。そして、従来では、前記画像形成部が直ちに画像形成の可能な待機モードである前記通常モードに切り替わったとき、トナー残量が所定レベル以下であると、前記動作制御手段は、前記画像形成部に、画像形成条件、たとえば帯電器の電圧を調整させるプロセス調整工程を行わせるとともに、前記リカバリ工程を行わせた後、画像形成に移る。これに対して、本発明では、該画像形成装置が前記待機モードに切り替わる以前の状態を判定するモード変化判定手段を設け、その判定結果に応じて、前記動作制御手段は、画像形成部の立上げ（ウォームアップ）を行うとともに、画像形成出力（プリントアウト）のタイミングを制御する。詳しくは、前記モード変化判定手段は、前記通常モードへの切り替わりが、電源投入によるものか、省電力モードからの復帰によるものかを判定し、前記動作制御手段は、トナー残量判定手段によって判定されるトナー残量が所定レベル以下の状態で前記待機モードに切り替わったとき、その切り替わりが、電源投入による場合は、前記画像形成部に前述のような旧来通りのプロセス調整工程およびリカバリ工程による立上げ動作を行わせた後、画像形成を行わせる一方、前記省電力モードからの復帰による場合は、前記画像形成部に前記プロセス調整工程だけを行わせ、画像形成後に前記リカバリ工程を行わせる。
【００１２】
したがって、トナー僅少での立上げ時に、カートリッジから現像器へトナーを落とし込み、トナー濃度を所定の濃度に復帰させるリカバリ工程を行うにあたって、省電力モードからの復帰による場合は、そのタイミングを画像形成後に振り替えることで、トナー僅少の状態で画質面では若干の低下の可能性があるものの、画像形成出力を素早く行わせ、待ち時間を短縮することができる。これに対して、電源投入による場合は、使用者は立上げに或る程度の時間が掛かることを認識しており、前記リカバリ工程を行って、その時点で実現し得る良好な画質で画像形成出力を得ることができる。こうして、省電力モードからと電源投入からとで、通常モードへ切り替わったときの状況に応じて、適切に画像形成出力を得ることができる。
【００１３】
さらにまた、本発明の画像形成装置では、前記動作制御手段は、前記省電力モード時には動作を休止する消費電力が相対的に大きいマイクロプロッセッサから成り、前記モード変化判定手段は、常時通電されて消費電力が相対的に小さいマイクロプロッセッサから成ることを特徴とする。
【００１４】
上記の構成によれば、画像形成部が上述のような省電力モードで消費電力を低減するにあたって、その動作を制御する動作制御部を２チップ構成とし、１チップ目は前記動作制御手段として高速クロックで各部の制御を行い、前記省電力モード時には動作を休止する消費電力が相対的に大きいマイクロプロッセッサから成り、２チップ目は前記モード変化判定手段として、低速クロックでモード監視を主に行い、常時通電されて消費電力が相対的に小さいマイクロプロッセッサから成る。
【００１５】
したがって、制御系でも、常時通電される構成を最小限として、画像形成装置において待機モードの多くの割合（時間）を占める省電力モード時における消費電力を削減することができる。
【発明の効果】
【００１６】
本発明の画像形成装置およびその起動方法は、以上のように、たとえばデジタル複合機などとして実現され、画像形成部が電子写真方式で画像形成を行い、待機モードとして通常モードと省電力モードとを少なくとも備える画像形成装置において、トナー残量が少なくなると、カートリッジから現像器へトナーを落とし込み、トナー濃度を所定のノードに復帰させるリカバリ工程を行わせるにあたって、電源投入によって通常の待機モードに切り替わったときにトナー残量が所定レベル以下であると、旧来通りのプロセス調整工程およびリカバリ工程による立上げ動作を行った後、画像形成を行う一方、省電力モードから通常の待機モードに復帰したときにトナー残量が所定レベル以下であると、前記プロセス調整工程だけを行い、画像形成後に前記リカバリ工程を行う。
【００１７】
それゆえ、トナー僅少での立上げ時に前記リカバリ工程を行うにあたって、省電力モードからの復帰による場合は、そのタイミングを画像形成後に振り替えることで、トナー僅少の状態で画質面では若干の低下の可能性があるものの、画像形成出力を素早く行わせ、待ち時間を短縮することができる。これに対して、電源投入による場合は、使用者は立上げに或る程度の時間が掛かることを認識しており、前記リカバリ工程を行って、その時点で実現し得る良好な画質で画像形成出力を得ることができる。こうして、省電力モードからと電源投入からとで、通常モードへ切り替わったときの状況に応じて、適切に画像形成出力を得ることができる。
【図面の簡単な説明】
【００１８】
【図１】本発明の実施の一形態に係る画像形成装置の電気的構成を示すブロック図である。
【図２】本発明の実施の一形態の動作を説明するためのフローチャートである。
【発明を実施するための形態】
【００１９】
図１は、本発明の実施の一形態に係る画像形成装置１の電気的構成を示すブロック図である。この画像形成装置１は、その画像形成部１０に、図示しない感光体ドラムを中心として、帯電器１１と、レーザスキャンユニット１２と、現像器１３と、定着装置１４とを備え、給紙装置１５から供給された用紙に電子写真方式で画像形成を行う画像形成装置である。そして、その形成画像のデータとしては、スキャナユニット２１によるスキャン画像データを用いることで複写機としての機能を実現し、プリンタユニット２２での受信画像データを用いることでプリンタとしての機能を実現し、ファクシミリユニット２３での受信画像データを用いることでファクシミリ受信機としての機能を実現する。また、前記スキャナユニット２１でのスキャン画像データをファクシミリユニット２３から送信することでファクシミリ送信機としての機能を実現する。こうして、この画像形成装置１は、複写機、プリンタおよびファクシミリの各機能を実現する、いわゆるデジタル複合機として構成されている。
【００２０】
注目すべきは、この画像形成装置１では、主要動作制御用の第１のマイクロプロッセッサ３１と、その起動制御用の第２のマイクロプロッセッサ３２とを備えることである。そして、１チップ目の前記第１のマイクロプロッセッサ３１は、動作制御手段として高速クロックで前記画像形成部１０の各部の制御を行い、消費電力が相対的に大きく、省電力モード時には動作を休止するようになっている。これに対して、２チップ目の第２のマイクロプロッセッサ３２は、モード変化判定手段として、低速クロックでモード監視を主に行い、消費電力が相対的に小さく、常時通電されている。
【００２１】
このため、第２のマイクロプロッセッサ３２には、主電源スイッチ３３がＯＮされると、前述のように常時、電源３４からの給電が行われており、使用者の操作やこの第２のマイクロプロッセッサ３２の制御によって、前記主電源スイッチ３３に連なる副電源スイッチ３５がＯＮされると、前記第１のマイクロプロッセッサ３１への電源供給が行われるようになっている。また、副電源スイッチ３５のＯＮ／ＯＦＦに拘わらず、画像データを受信するために、プリンタユニット２２およびファクシミリユニット２３には、主電源スイッチ３３がＯＮの状態で電源供給が行われるようになっているとともに、操作パネル３６も、起動操作を受付けるために、主電源スイッチ３３がＯＮ状態で電源供給が行われるようになっている。なお、この図１では、画像形成部１０への高圧の電源線は省略しているけれども、副電源スイッチ３５に連動して、省電力モード時には、各部は以下のような低消費電力状態となる。
【００２２】
すなわち、たとえば定着装置１４の設定温度が低下され、帯電器１１での帯電電圧も低下される。そして、前記副電源スイッチ３５のＯＦＦによって第１のマイクロプロッセッサ３１が停止し、それによる表示入力が無くなることで、操作パネル３６の表示も消灯している。この状態で、操作パネル３６に触れる起動操作や、スキャナユニット２１への原稿のセットなどの何らかの操作、或いはファクシミリデータの受信やプリントデータの受信などによる印字ジョブの発生で、第２のマイクロプロッセッサ３２は副電源スイッチ３５をＯＮして、第１のマイクロプロッセッサ３１を起動させ、通常モードに復帰させる。同様に、主電源スイッチ３３がＯＦＦ状態からＯＮ状態となると、前記副電源スイッチ３５をＯＮして、第１のマイクロプロッセッサ３１を通常モードに復帰させる。
【００２３】
前記通常モードとなると、第１のマイクロプロッセッサ３１が起動し、温度センサ１６で検知される温度が所定の設定温度となるまで定着装置１４の温度を上昇させる。また、画像形成部１０に感光体ドラム上にトナーのテストパッチを形成させ、その形成画像をセンサ１７で読取ることで、帯電器１１での帯電電圧を制御するプロセス調整工程を行う。また、現像器１３には、トナー残量判定手段であるトナー濃度センサ１８が設けられており、トナー残量が少なくなる（トナーロー状態）と、現像器１３に、カートリッジから該現像器１３へトナーを落とし込み、トナー濃度を所定のノードに復帰させるリカバリ工程を行わせる。
【００２４】
一方、所定時間に亘って、操作パネル３６への操作や、印字ジョブが発生しない場合は、第１のマイクロプロッセッサ３１は第２のマイクロプロッセッサ３２に、省電力モードへの切替え要求を送信し、副電源スイッチ３５をＯＦＦさせて、上述のような省電力モードに移る。
【００２５】
上述のように構成される画像形成装置１において、注目すべきは、動作制御手段である第１のマイクロプロッセッサ３１は、従来では、前記通常モードに切り替わったとき、トナー濃度センサ１８によって形成される現像器１３のトナー残量が所定レベル以下であると、前記画像形成部１０に、画像形成条件を調整させるプロセス調整工程を行わせるとともに、前記リカバリ工程を行わせた後、画像形成を行わせるのに対して、本実施の形態では、前記第２のマイクロプロッセッサ３２を、該画像形成装置１が前記通常モードに切り替わる以前の状態を判定するモード変化判定手段として使用し、その判定結果に応じて、前記第１のマイクロプロッセッサ３１は、画像形成部１０の立上げ（ウォームアップ）を行うとともに、画像形成出力（プリントアウト）のタイミングを制御することである。
【００２６】
詳しくは、前記第１のマイクロプロッセッサ３１は、副電源スイッチ３５がＯＮされて通常モードの動作を開始すると、図２で示すように、先ずステップＳ１で、トナー濃度センサ１８によって現像器１３のトナー残量を判定する。続いてステップＳ２で、前記第１のマイクロプロッセッサ３１は、前記通常モードへの切り替わりが、電源投入によるものか、省電力モードからの復帰によるものかを、前記第２のマイクロプロッセッサ３２から入力される復帰時モード種別信号によって判定し、電源投入による場合は、ステップＳ３以降の処理に移り、前記画像形成部１０に、前述のような旧来通りのプロセス調整工程およびリカバリ工程を行わせる。
【００２７】
すなわち、ステップＳ３では、前記画像形成部１０に前記プロセス調整工程を行わせ、さらにステップＳ４で、前記ステップＳ１でのトナー残量が所定レベル以下であるか否かの判定を行い、所定レベル以下であるとステップＳ５で、前記現像器１３にリカバリ工程を行わせた後、ステップＳ６で印字動作を行わせる。一方、前記ステップＳ４でトナー残量が所定レベル以下でない場合は、直接ステップＳ６に移って印字動作を行わせ、処理を終了する。
【００２８】
これに対して、前記ステップＳ２で、前記通常モードのへの切り替わりが、省電力モードからの復帰による場合は、ステップＳ１３に移り、前記第１のマイクロプロッセッサ３１は、前記画像形成部１０にプロセス調整工程を行わせる。続いて、ステップＳ１４では、前記第１のマイクロプロッセッサ３１は、画像形成部１０に、先に印字動作を行わせた後、ステップＳ１５で、前記ステップＳ４と同様に、ステップＳ１でのトナー残量が所定レベル以下であるか否かの判定を行い、所定レベル以下であるとステップＳ１６で、前記現像器１３にリカバリ工程を行わせた後、処理を終了する。一方、前記ステップＳ１５でトナー残量が所定レベル以下でない場合は、直接処理を終了する。
【００２９】
以上のように、本実施の形態の画像形成装置１では、現像器１３のトナー残量が少ない状態（トナーロー状態）での立上げ時に、カートリッジから現像器１３へトナーを落とし込み、トナー濃度を所定の濃度に復帰させるリカバリ工程を行うにあたって、通常モードに切り替わり、動作制御手段としての第１のマイクロプロッセッサ３１の電源が立上がったとき、該第１のマイクロプロッセッサ３１は、常時電源が供給されているモード変化判定手段としての第２のマイクロプロッセッサ３２からの復帰時モード種別信号によって、電源投入によるモード切り替わりか、省電力モードからの復帰によるモード切り替わりかを判定する。そして、省電力モードからの復帰時には、前記第１のマイクロプロッセッサ３１は、画像形成部１０にプロセス調整工程だけを行わせ、先に印字動作を行わせた後にリカバリ工程を行わせるので、トナー僅少の状態で画質面では若干の低下の可能性があるものの、印字出力を素早く行わせ、待ち時間を短縮することができる。これに対して、電源投入によるモード切り替わり時には、使用者は立上げに或る程度の時間が掛かることを認識しており、前記第１のマイクロプロッセッサ３１は、前記画像形成部１０にリカバリ工程を行わせた後、印字動作を行わせるので、その時点で実現し得る良好な画質で印字出力を得ることができる。こうして、省電力モードからと電源投入からとで、通常モードへ切り替わったときの状況に応じて、適切に印字出力を得ることができる。
【００３０】
また、画像形成部１０が上述のような省電力モードで消費電力を低減するにあたって、その動作を制御する動作制御部を２チップ構成する。そして、１チップ目は前記動作制御手段として高速クロックで各部の制御を行い、前記省電力モード時には動作を休止する消費電力が相対的に大きい第１のマイクロプロッセッサ３１によって構成し、２チップ目は前記モード変化判定手段として、低速クロックでモード監視を主に行い、常時通電されて消費電力が相対的に小さい第２のマイクロプロッセッサ３２から構成する。これによって、制御系でも、常時通電される構成を最小限として、画像形成装置１において待機モードの多くの割合（時間）を占める省電力モード時における消費電力を削減することができる。
【００３１】
前記第２のマイクロプロッセッサ３２から第１のマイクロプロッセッサ３１への復帰時モード種別信号としては、電源投入時と省電力モードからの復帰時との一方にのみ信号が出力され、他方には信号が出力されなくてもよく、２つのマイクロプロッセッサ３１，３２間で専用の信号線が設けられている場合には、ハイまたはローを判定できるだけでもよい。
【符号の説明】
【００３２】
１    画像形成装置
１０    画像形成部
１１    帯電器
１２    レーザスキャンユニット
１３    現像器
１４    定着装置
１５    給紙装置
１６    温度センサ
１７    センサ
１８    トナー濃度センサ
２１    スキャナユニット
２２    プリンタユニット
２３    ファクシミリユニット
３１    第１のマイクロプロッセッサ
３２    第２のマイクロプロッセッサ
３３    主電源スイッチ
３４    電源
３５    副電源スイッチ
３６    操作パネル
【図１】
2011022399.tif 000003
【図２】
2011022399.tif 000004